(57)【要約】      （修正有）【課題】ケースに弾性素材で形成したカバーを装着している巻尺において、手に手袋をしていてもケースをしっかりと握れるようにして、測定作業を安全に行うことができる巻尺を提供する。【解決手段】ケース１に装着した弾性を有する素材よりなるカバー２の少なくともケース１の底部が位置する部位に、カバー２の本体を構成する素材よりも柔軟なクッション材２ｂを設け、使用者が手袋を装着した手でケースを握った際、クッション材２ｂの変形によってカバー表面に生じた凹みに手袋の指先部分がフィットして手袋表面とカバー表面との接触面積が大になり、また前記凹みに指先部分が引っ掛かるので、手袋を装着した手でもケースをしっかりと持つことができるようにした。【選択図】図３
0003141687.tif 000002
【実用新案登録請求の範囲】
【請求項１】
ケース内に、測定テープを周囲に巻き回し、同測定テープを巻き取り方向に付勢する付勢手段を内装している回転ドラムを回転自在に支持する自動巻取り式の巻尺において、弾性を有する素材で本体を形成したカバーを、ケースを取り巻くように装着し、同カバーの少なくともケース底部に位置する部位にクッション手段を設けてなる巻尺。
【請求項２】
前記クッション手段を、カバー本体の素材内部に封入した気体または流動体よりなるクッション材で構成してなる請求項１に記載の巻尺。
【請求項３】
前記クッション手段を、多数の細径の突起で構成してなる請求項１に記載の巻尺。
【請求項４】
前記突起を、ブラシ状に構成してなる請求項３に記載の巻尺。
【考案の詳細な説明】
【技術分野】
【０００１】
本考案は、滑り防止や落下時に衝撃を緩和するためのカバーをケースに装着している巻尺に関する。
【背景技術】
【０００２】
従来、巻尺の取り扱いに際し、滑り防止や落下時に衝撃を緩和するためのカバーをケースに装着しているものがある（例えば、特許文献１、２参照）。
【０００３】
このカバーをケースに装着している巻尺は、特に、長いテープを収納するものはケースだけでも相当な大きさであり、したがってこのケースにカバーを装着するとカバーの厚み分が加わってより寸法の大なるケースになっていた。
【０００４】
このため、軍手等の手袋をした手でケースを握った場合はケース（カバー）の底部に掛かる指先の範囲が小になって、滑り防止になる筈のカバーがあるがゆえにケースが持ち難く、ケースを落とす恐れさえあるという矛盾があった。
【０００５】
【特許文献１】特開２００２−１３１００２号公報（第１〜５頁、図１〜６）
【特許文献２】特開２０００−２９８００２号公報（第１〜８頁、図１〜１０）
【考案の開示】
【考案が解決しようとする課題】
【０００６】
本考案は、使用者が手袋を装着していてもケース（カバー）をしっかりと握ることができるようにして、測定作業を安全に行うことができる巻尺を提供できるようにした。
【課題を解決するための手段】
【０００７】
上述した課題を解決するために、本考案に係る巻尺は、ケース内に、測定テープを周囲に巻き回し、同測定テープを巻き取り方向に付勢する付勢手段を内装している回転ドラムを回転自在に支持する自動巻取り式の巻尺において、弾性を有する素材で本体を形成したカバーを、ケースを取り巻くように装着し、同カバーの少なくともケース底部に位置する部位にクッション手段を設けた構成のものとしてある。
【０００８】
また前記クッション手段を、カバー本体の素材内部に封入した気体または流動体よりなるクッション材で構成したものとしてある。
【０００９】
さらに前記クッション手段を、多数の細径の突起で構成したものとしてある。
【００１０】
また前記突起を、ブラシ状に構成したものとしてある。
【考案の効果】
【００１１】
本考案の巻尺によれば、ケースに装着するカバーの少なくともケース底部に位置する部位にクッション手段を設けているので、手袋を装着した手でケースを握った際、手の指先部分が掛かるケース底部のカバー表面がクッション手段の変形によって凹み、手袋の指先部分がカバーの表面に生じた凹みにフィットして手袋表面とカバー表面との接触面積が大になり、また前記凹みに指先部分が引っ掛かるので、手袋をした手でもケースをしっかりと持つことができる。
【００１２】
また、手袋を装着していない素手でケースを握った場合も、指先部分がカバーの表面に生じた凹みにフィットして指先表面とカバー表面との接触面積が大になり、またこの凹みに指先部分が引っ掛かるので、ケースを素手で持った際もケースをよりしっかりと持つことができる。
【００１３】
そして、落下した巻尺におけるカバーの対衝突頻度が高なる部位、例えばカバーの角部等にもクッション材を設けることにより、ケースに加わる衝撃を、このケースに装着しているカバーとこのカバーに設けているクッション材によってダブルで緩衝できるので、ケースに加わる衝撃を大に緩和することができる。
【考案を実施するための最良の形態】
【００１４】
本考案に係る巻尺は、図１に示すように、巻尺の本体たるケース１にエラストマやゴム等の弾性を有する素材で形成したカバー２を装着している。
【００１５】
またカバー２は、使用者が必要に応じて脱着できるように構成したり、あるいはケース１と一体になるように構成して使用者が脱着できないように構成したりする場合もある。
【００１６】
図２は、ケース１から取り外した状態のカバー２を示しており、このカバー２には、ケース１の底部が位置する部位にカバー２の本体の素材よりも柔軟性に富むクッション材２ｂを設けてあり、このクッション材によってクッション手段を構成している。
【００１７】
そして、このクッション材２ｂは、図３に示すようにケース１の底部が位置する部位すなわちカバー２の内底２ａに設けたり、また図４に示すようにカバー２の外底２ｃに設けたり、さらに図５中の（ａ）図に示すようにカバー２の本体素材内に埋設したり、さらには図５中の（ｂ）図に示すように、クッション材２ｂをカバー２内の側部２ｄ側まで回り込ませて、落下した巻尺におけるカバーの対衝突頻度が大なる角部の耐衝撃性を大なるものにする場合もある。
【００１８】
また、実施例では示していないが、クッション材２ｂを上記図３乃至図５に示した部位以外の例えばカバー２の上部、後部、側部やこれらの部位に有する角部にも配設する場合がある。
【００１９】
前記クッション材２ｂは、カバー本体素材よりも柔軟性を有する樹脂材等の素材で構成する場合もあるが、図５に示されるように、カバー２を構成する素材の内部に空気等の気体やゲル状の液体、粒体、粉体等の流動体を封入する場合もある。
【００２０】
また図６に示すように、細径の多数の突起よりなるブラシ状突起２ｅをカバー２の内底２ａに設けてクッション手段を構成する場合もある。
【００２１】
図７は、巻尺の使用状態を示していて、図７中の（ａ）図は、図５中の（ａ）図に示したクッション材２ｂをカバー２内に埋設したもので、手袋３をしている手でカバー２の外部２ｃを握るとカバー２内に埋設しているクッション材２ｂが変形して、手袋３を装着している手の指４がカバー２の表面に生じた凹みにフィットし、したがって手袋３の表面とカバー２の表面との接触面積が大になり、また前記凹みに手袋３をしている手の指４が引っ掛かってケース１をしっかりと持つことができる。
【００２２】
また、図７中の（ｂ）図は、図６に示したクッション手段をカバー２の内底２ａに設けた前記ブラシ状突起２ｅで構成するもので、手袋３を装着している手でカバー２の外部２ｃを握るとカバー２の内底２ａに設けているブラシ状突起２ｅが変形して、手袋３を装着している手の指４がカバー２の表面に生じた凹みにフィットし、したがって手袋３の表面とカバー２の表面との接触面積が大になり、また前記凹みに手袋３をしている手の指４が引っ掛かってケース１をしっかりと持つことができる。
【００２３】
上述した実施例を示す各図中の符号１ａは、ケース１内から引き出した測定テープ（図示は省略）を引き出し位置で固定するためのブレーキレバー、符号１ｂは、測定テープ（図示は省略）の先端に取り付けているフック、符号１ｃは、巻尺（ケース１）を作業者の腰ベルトに係着させる際に用いるベルトクリップである。
【図面の簡単な説明】
【００２４】
【図１】本考案に係る巻尺の一例を示す斜視図。
【図２】カバーを示す斜視図。
【図３】内底にクッションを設けたカバーの斜視図。
【図４】外底にクッションを設けたカバーの断面図。
【図５】クッションを埋設したカバーの断面図。
【図６】クッション手段を設けたカバーを示す斜視図。
【図７】巻尺の使用状態を示す斜視図。
【符号の説明】
【００２５】
１  ケース
１ａ  ブレーキレバー
１ｂ  フック
１ｃ  ベルトクリップ
２  カバー
２ａ  内底
２ｂ  クッション材
２ｃ  外底
２ｄ  側部
２ｅ  ブラシ状突起
３  手袋
４  指
【図１】
0003141687.tif 000003
【図２】
0003141687.tif 000004
【図３】
0003141687.tif 000005
【図４】
0003141687.tif 000006
【図５】
0003141687.tif 000007
【図６】
0003141687.tif 000008
【図７】
0003141687.tif 000009